(57)【要約】【課題】騒音のない空気清浄機を備えたベッドの提供。【解決手段】マットレス２０が載置されるフレーム１２及び／又は前記フレーム１２の隣接部材１４の適所に、エレクトレット化された不織布シート３２を空気清浄装置３０として着脱自在にすると共に、前記マットレス２０上にエレクトレット化された他の不織布シート１３２を補助空気清浄装置として装着したことを特徴とするベッド１０を構成した。【選択図】      図１
2004321451.tif 000002
【特許請求の範囲】
【請求項１】
マットレスが載置されるフレーム及び／又は前記フレームの隣接部材の適所にエレクトレット化された不織布シートを空気清浄装置として着脱自在に装着すると共に、前記マットレス上にエレクトレット化された他の不織布シートを補助空気清浄装置として装着したことを特徴とするベッド。
【発明の詳細な説明】
【０００１】
【発明の属する技術分野】
本発明は、ベッドに関し、特に空気清浄装置を備えたベッドに関する。
【０００２】
【従来の技術】
フレーム上に載置されたマットレスベッドに横たわる使用者に清涼な空気を供給すべく、空気清浄装置を備えたベッドが、従来から提供されている。しかして、このベッドにおいては、空気清浄装置の吹き出し部がヘッドボードに設けられており、フィルターを介してファンにより吸引された空気が、清浄空気として、吹き出し部からマットレス上の使用者に向けて吹き出されるようになっている。そして、フィルターを介して空気を吸引するファンは、電動モータにて回転駆動される（例えば、特許文献１参照）。
【０００３】
【特許文献１】
特開２０００−１７１０６７号公報  （第１〜５頁、図１〜８）
【０００４】
【発明が解決しようとする課題】
しかしながら、上記したベッドは、フィルターを介して空気を吸引するファンは、電動モータにて回転駆動されるので、騒音は不可避であり、この騒音は安眠の妨げとなる。特に、上記したベッドが病院において使用される場合は、患者に苦痛を与えることになり、改善が要求される。
【０００５】
それ故に、本発明は、かような不具合が惹起されないベッドを提供することを、その技術的課題とする。
【０００６】
【課題を解決するための手段】
上記した課題を解決するために講じた技術的手段は、「マットレスが載置されるフレーム及び／又は前記フレームの隣接部材の適所に、エレクトレット化された不織布シートを空気清浄装置として着脱自在に装着すると共に、前記マットレス上にエレクトレット化された他の不織布シートを補助空気清浄装置として装着したことを特徴とするベッド」を構成したことがある。
【０００７】
【発明の実施の形態】
以下、添付図面に依拠して、本発明にかかるベッドの実施形態について説明する。
【０００８】
図１及び図２に示すように、ベッド１０は、フレーム１２を備える。フレーム１２の上にはマットレス２０が載置される。フレーム１２のヘッド側にはヘッドボード１４が固定・立設されている。しかして、ヘッドボード１４の前面（マットレス２０が位置する側）には、凹所１６が形成されており、この凹所１６には、空気清浄装置３０が着脱自在に装着されている。
【０００９】
図３及び図４に示すように、空気清浄装置３０は、エレクトレット化された不織布シート３２を、プリーツ状の態様で、矩形枠４０に堅牢に保持される。エレクトレット化された不織布シート３２は、不織布シートをマイナスの静電気で帯電させたものであり、空気中のプラスに帯電した埃類を吸引・保持する（つまり集塵する）ものである。このような不織布シート３２を人体に近い場所に位置するヘッドボード１４に装着することで、人体に吸引される空気を、電気を使わず、騒音なく、浄化できる。
【００１０】
しかして、矩形枠４０は、４隅に位置するＬ型ブラケット４２の水平舌４２Ｈ及び垂直舌４２Ｖを、夫々、水平枠４４の溝及び垂直枠４６の溝に挿入することにより構成される。
【００１１】
エレクトレット化された不織布シート３２をプリーツ状となすのは、表面積を出来る限り増加させるためである。また、プリーツ状の不織布シート３２は、表面がフラットにはならないので、付着した埃が目立たない。不織布シート３２は洗濯すれば、数回は、使用できる。
【００１２】
尚、図５に示すように、空気清浄装置３０を、奥行きが大きなヘッドボード１４の天部に設置しても良い。
【００１３】
上記した空気清浄装置３０はヘッドボード１４に装着されたものであるので、不織布シート３２の表面積が小さい場合や、ヘッドボード１４から離れた部位の空気清浄が要請される場合、空気清浄装置３０の空気清浄能力が充分でないこともありうる。そこで、図６及び図７に示すように、マットレス２０の内部には、エレクトレット化された不織布シート１３２を主要部とする補助空気清浄機が装着されている。
【００１４】
すなわち、図６及び図７に示すように、パッド１００は、内部に詰物１１０が封入された袋状の不織布シート１３２を一対の表地１３０間の介装し、しかる後に、一対の表地１３０の縁をヘム１４０にて縫製したものである。エレクトレット化された不織布シート１３２は、パッド１００の中に、補助空気清浄機として装着されており、この不織布シート１３２が表地１３０の細孔を通じて空気中の埃を吸引し、空気を浄化する。
【００１５】
図８及び図９に示すシーツ２００は、一対の表地２３０の間にエレクトレット化された不織布シート２３２を介装して、一対の表地２３０の縁をヘム２４０にて縫製したものである。エレクトレット化された不織布シート２３２は、シーツ２００の中に、補助空気清浄機として装着されており、この不織布シート２３２が表地２３０の細孔を通じて空気中の埃を吸引し、空気を浄化する。
【００１６】
図１０に示す枕３００は、袋状の表地３３０の間にエレクトレット化された不織布シート３３２とクッション体３５０を重畳させて挿入して形成したものである。エレクトレット化された不織布シート３３２は、枕３００の中に、補助空気清浄機として装着されており、この不織布シート３３２が表地３３０の細孔を通じて空気中の埃を吸引し、空気を浄化する。
【００１７】
以上、本発明の実施の形態について説明したが、本発明は上述した実施の形態に限定される意図はなく、本発明の趣旨に沿った形態のベッドであれば、どのようなものでもよい。
【００１８】
【発明の効果】
請求項１の発明によれば、マットレスが載置されるフレーム及び／又は前記フレームの隣接部材の適所に、エレクトレット化された不織布シートを空気清浄装置として着脱自在にすると共に、前記マットレス上にエレクトレット化された他の不織布シートを補助空気清浄装置として装着したことを特徴とするベッドを構成したので、電源を必要とせずに、騒音のない空気清浄を行うことが出来、実用上、多大の効果を奏する。
【図面の簡単な説明】
【図１】本発明にかかるベッドの一実施態様の斜視図である。
【図２】図１に示すベッドの正面図である。
【図３】エレクトレット化された不織布シートを用いて構成される空気清浄装置の全体斜視図である。
【図４】図４に示す空気清浄装置の分解斜視図である。
【図５】本発明にかかるベッドの他の実施態様の斜視図である。
【図６】エレクトレット化された不織布シートを用いて構成される補助空気清浄装置が装着されたパッドの平面図である。
【図７】図６に示すパッドの側面図である。
【図８】エレクトレット化された不織布シートを用いて構成される補助空気清浄装置が装着されたシーツ平面図である。
【図９】図８に示すシーツの側面図である。
【図１０】エレクトレット化された不織布シートを用いて構成される補助空気清浄装置が装着された枕の平面図である。
【符号の説明】
１０・・・ベッド
１２・・・フレーム
２０・・・マットレス
３０・・・空気清浄機
３２・・・不織布シート
【図１】
2004321451.tif 000003
【図２】
2004321451.tif 000004
【図３】
2004321451.tif 000005
【図４】
2004321451.tif 000006
【図５】
2004321451.tif 000007
【図６】
2004321451.tif 000008
【図７】
2004321451.tif 000009
【図８】
2004321451.tif 000010
【図９】
2004321451.tif 000011
【図１０】
2004321451.tif 000012